(57)【要約】【課題】外部装置からの供給電力を電池への充電に用いる電子機器の安全性を考慮しつつ、電池の充電を行うことができるようにする。【解決手段】充電が可能な電池を取り外し可能な電子機器は、外部装置より供給された電力を入力し、電子機器への電力の供給を制御する電力制御部と、電力制御部で制御された電力を前記電子機器の各構成要素へ供給するための第１の電力経路と、電力制御部で制御された電力を接続された電池へ供給するための第２の電力経路とを有する。電力制御部は、接続された電池について認証を行う認証手段による認証に失敗した場合に、外部装置より供給された電力の第１の電力経路および第２の電力経路への供給を制限する。【選択図】  図１
2017073955.tif 000002
【特許請求の範囲】
【請求項１】
電子機器であって、
外部装置より供給された電力を入力し、前記電子機器への電力の供給を制御する電力制御手段と、
前記電力制御手段で制御された電力を前記電子機器へ供給するための第１の電力経路と、
前記電力制御手段で制御された電力を電池へ供給するための第２の電力経路と、
前記電池について認証を行う認証手段と
を有し、
前記電力制御手段は、前記認証手段が前記電池の認証に失敗した場合に、前記外部装置より供給された電力の前記第１の電力経路および前記第２の電力経路への供給を制限することを特徴とする電子機器。
【請求項２】
前記第２の電力経路は前記第１の電力経路から分岐して設けられており、
前記電力制御手段では、前記外部装置より供給された電力の前記第１の電力経路への供給を制限することにより、前記第１の電力経路および前記第２の電力経路への電力の供給が制限されることを特徴とする請求項１に記載の電子機器。
【請求項３】
前記電力制御手段は、前記第１の電力経路へ供給される電流を制限することを特徴とする請求項２に記載の電子機器。
【請求項４】
前記電力制御手段は、前記第１の電力経路へ供給される電流を２．５ｍＡ以下に制限することを特徴とする請求項３に記載の電子機器。
【請求項５】
前記第２の電力経路は接続部を介して前記第１の電力経路と接続されており、
前記電力制御手段は、前記認証手段が前記電池の認証に失敗した場合に、前記外部装置より供給された電力を前記第１の電力経路へ制限するとともに、前記接続部を遮断状態にすることを特徴とする請求項１から４のいずれか１項に記載の電子機器。
【請求項６】
前記電子機器のへの電源投入時において、前記認証手段は、前記電池から供給される電力を用いて前記電池の認証を実行することを特徴とする請求項１から５のいずれか１項に記載の電子機器。
【請求項７】
前記認証手段による認証の失敗を通知する通知手段をさらに備えることを特徴とする請求項１から６のいずれか１項に記載の電子機器。
【請求項８】
前記電池が接続されているか否かを検出する検出手段をさらに備え、
前記検出手段により前記電池が非接続状態であることが検出されると、前記電力制御手段は、前記制限を解除することを特徴とする請求項１から７のいずれか１項に記載の電子機器。
【請求項９】
前記検出手段は、前記電池の出力端子部から得られる電圧に基づいて前記電池が接続されているか否かを検出することを特徴とする請求項８に記載の電子機器。
【請求項１０】
前記検出手段は、前記電池が有する温度検出素子の端子部から得られる電圧に基づいて前記電池が接続されているか否かを検出することを特徴とする請求項８または９に記載の電子機器。
【請求項１１】
電池の非接続状態が検出された後、電池が接続された場合に、前記認証手段による認証の結果が判明するまでの間、前記電力制御手段は前記制限を解除することを特徴とする請求項７から９のいずれか１項に記載の電子機器。
【発明の詳細な説明】
【技術分野】
【０００１】
本発明は、電池を充電する機能を有する電子機器等に関する。
【背景技術】
【０００２】
デジタルカメラ等の電子機器は、取り外し可能であって充電可能な電池で動作する。このような電子機器は、電子機器に電池が接続された状態で電池を充電することができる（特許文献１）。
【先行技術文献】
【特許文献】
【０００３】
【特許文献１】特開２０１４−１５８４１２号公報
【発明の概要】
【発明が解決しようとする課題】
【０００４】
しかしながら、正規の電池を模倣した非正規の電池が電子機器に接続された状態で電池の充電を行う場合、電池の充電の安全性が低下するおそれがある。
【０００５】
そこで、本発明は、外部装置からの供給電力を電池への充電に用いる電子機器の安全性を考慮しつつ、電池の充電を行うことができるようにすることを目的とする。
【課題を解決するための手段】
【０００６】
上記目的を達成するために、本発明に係る電子機器は、電子機器であって、外部装置より供給された電力を入力し、前記電子機器への電力の供給を制御する電力制御手段と、前記電力制御手段で制御された電力を前記電子機器へ供給するための第１の電力経路と、前記電力制御手段で制御された電力を電池へ供給するための第２の電力経路と、前記電池について認証を行う認証手段とを有し、前記電力制御手段は、前記認証手段が前記電池の認証に失敗した場合に、前記外部装置より供給された電力の前記第１の電力経路および前記第２の電力経路への供給を制限する。
【発明の効果】
【０００７】
本発明によれば、外部装置からの供給電力を電池への充電に用いる電子機器の安全性を考慮しつつ、電池の充電を行うことができる。
【図面の簡単な説明】
【０００８】
【図１】実施形態１における電子機器１００が有する複数の構成要素の一例を説明するためのブロック図である。
【図２】システム制御部１０５が有する複数の構成要素の一例を説明するためのブロック図である。
【図３】実施形態１における第１の給電制御処理の一例を説明するためのフローチャートである。
【図４】実施形態１における第２の給電制御処理の一例を説明するためのフローチャートである。
【発明を実施するための形態】
【０００９】
以下、図面を参照して本発明の実施形態を説明する。ただし、本発明は以下の実施形態に限定されるものではない。
【００１０】
図１は、実施形態１における電子機器１００が有する複数の構成要素の一例を説明するためのブロック図である。電子機器１００は、例えば、デジタルカメラとして動作することができる撮像装置である。但し、電子機器１００は、撮像装置に限定されるものではなく、携帯電話として動作する携帯機器であってもよい。
【００１１】
図１に示すように、電子機器１００は、接続部１０１、充電／給電部１０２、電池１０３、電源制御部１０４、システム制御部１０５、負荷部１０６、指示入力部１０７、通知部１０８、認証制御部１０９、取り外し検出部１１８を有する。
【００１２】
外部装置２００は、電子機器１００へ電力供給を行うことが可能な外部の電子機器である。外部装置２００は、商用電源の電圧を電子機器１００が利用可能な電源電圧へ変換して電子機器１００へ供給することができる。外部装置２００としては、例えば、ＡＣアダプタ（充電器）やパーソナルコンピュータ（ＰＣ）のＵＳＢ端子が挙げられる。接続媒体３００は、電子機器１００の接続部１０１と外部装置２００を接続する。接続媒体３００としては、例えば、有線による給電であればＵＳＢケーブルなどの線路が挙げられる。また、Ｑｉ規格に代表される無線電力伝送を用いる場合には、接続媒体３００は、電力を供給する電磁波が通過する空気中の経路となる。
【００１３】
接続部１０１は、接続媒体３００を介して外部装置２００と接続し、外部装置２００から供給される電力を受け取る機能（受電機能）を有するインターフェース部である。なお、接続部１０１は、受電機能に加えて、情報の送受信機能を有していてもよい。接続部１０１は、例えば、ＵＳＢインターフェース部を有する。なお、接続部１０１は、無線電力伝送を行うインターフェース部を有するものであってもよい。接続部１０１は、例えば、Ｑｉ規格で規定された無線電力伝送を行うインターフェース部を有するものであってもよい。
【００１４】
充電／給電部１０２は電力管理部１１０、電力制御部１１１、スイッチ素子１１２等を含み、たとえば半導体集積回路で構成され得る。スイッチ素子１１２はたとえば半導体集積回路内部に構成され、ＭＯＳＦＥＴ等で構成される。スイッチ素子１１２は、電力制御部１１１により制御され、電池１０３への充電や、電池１０３から電子機器１００の動作のための放電の経路における接続と遮断などを行う。
【００１５】
電力管理部１１０と電力制御部１１１の協働により、外部装置２００より供給され、入力された電力の、電子機器１００への供給が制御される。制御された電力は、電源制御部１０４に接続されている第１の電力経路１２１へ出力され、電子機器１００の各構成要素への電力供給に用いられる。さらに、制御された電力は、スイッチ素子１１２を介して、電池１０３に接続されている第２の電力経路１２２へ出力され、電池１０３の充電に用いられる。実施形態１では、第２の電力経路１２２が第１の電力経路１２１から分岐して設けられており、第２の電力経路１２２と第１の電力経路１２１はスイッチ素子１１２を介して接続されている。電力管理部１１０は電流制限回路と、リニアレギュレータやＤＣ／ＤＣコンバータに代表される電圧変換回路を含む。電力管理部１１０は電力制御部１１１によって制御され、外部装置２００から供給される電力の制限と、受け取った電力の電圧変換、電力変換を行う。例えば、ＵＳＢインターフェース部のように供給可能な電力に上限のある規格に基づいた外部装置２００から電力供給を受ける場合、電力管理部１１０は、外部装置２００から供給される電流が上限を超えないように電力制御部１１１からの指示に応じて電流制限を行う。
【００１６】
電力制御部１１１は、電子機器１００の負荷電流が外部装置２００の供給電力を上回る場合には、電力管理部１１０の出力電圧を電池１０３の電圧まで低下させ、スイッチ素子１１２をオン状態（接続状態）にする。これにより、外部装置２００からの供給電力と電池１０３からの供給電力とが併用され、外部装置２００からの電力だけでは不足する負荷電流が電池１０３からの供給で補われる。例えば、外部装置２００がパーソナルコンピューター（ＰＣ）でＵＳＢから５００ｍＡの電流を供給可能であれば、電子機器１００の消費電流（深電流）が５００ｍＡを超過した場合に、外部装置２００からの供給電力と電池１０３からの供給電力とが併用される。
【００１７】
電子機器１００の負荷電流が外部装置２００からの供給電力以下となった場合には、電力制御部１１１は、外部装置２００からの供給電力と電池１０３からの供給電力との併用を停止し、外部装置２００からの供給電力を使用して動作する。このとき、スイッチ素子１１２をオン状態にして、同時に電池１０３の充電が行われるようにしてもよい。外部装置２００からの供給電力で電池１０３を充電する場合、電力制御部１１１は、電力管理部１１０から電池１０３の出力電圧より高い出力電圧を出力させ、スイッチ素子１１２を調整して電池１０３への充電ための電流を制御する。例えば、電池１０３の端子電圧が３．７Ｖであり、電力管理部１１０の出力電圧が４．５Ｖであった場合、電力制御部１１１はスイッチ素子１１２を調整して充電のための電流を制御し、電池１０３を充電する。
【００１８】
外部装置２００からの電力供給がない場合には、電力制御部１１１は、スイッチ素子１１２をオンして、電池１０３からスイッチ素子１１２を介してシステム制御部１０５へ電力を供給するよう制御する。さらに、電力制御部１１１は、システム制御部１０５からのサスペンド制御信号１１６に応じて、電力管理部１１０をサスペンド制御することができる。これにより、電力制御部１１１は、外部装置２００からの供給電力をシステム制御部１０５等へ供給すること、及び充電のために電池１０３へ供給することを制限（停止を含む）することが可能である。
【００１９】
システム制御部１０５は、電子機器１００の各構成要素を制御することができる。図２は、システム制御部１０５が有する複数の構成要素の一例を説明するためのブロック図である。図２に示されるように、システム制御部１０５は、ＣＰＵ１５１（Ｃｅｎｔｒａｌ  Ｐｒｏｃｅｓｓｉｎｇ  Ｕｎｉｔ）、ＲＯＭ１５２（Ｒｅａｄ  Ｏｎｌｙ  Ｍｅｍｏｒｙ）、ＲＡＭ１５３（Ｒａｎｄｏｍ  Ａｃｃｅｓｓ  Ｍｅｍｏｒｙ）、通信インターフェース部１５４を含む。なお、ＲＯＭ１５２、ＲＡＭ１５３はメモリ構成の一例であって、これに限られるものではない。ＣＰＵ１５１は、ＲＯＭ１５２あるいはＲＡＭ１５３に格納されているプログラムを実行して、図３及び図４のフローチャートにより後述する処理を含む、各種動作を実現する。ＲＯＭ１５２には、各種データやＣＰＵ１５１が実行する各種プログラムが格納されている。ＲＡＭ１５３には、ＣＰＵ１５１が実行する処理に応じてＲＯＭ１５２から読み出されたプログラムが展開されたり、ＣＰＵ１５１が処理を実行する過程で生成された各種データを一時的に記憶したりする。通信インターフェース部１５４には、受電／給電部１０２、後述する負荷部１０６や電源制御部１０４等の制御対象が接続され、それら制御対象とＣＰＵ１５１との通信を実現する。ＣＰＵ１５１、ＲＯＭ１５２、ＲＡＭ１５３、通信インターフェース部１５４は、バス１５５に接続され、相互に通信が可能である。
【００２０】
図１において、システム制御部１０５は、外部供給電力の検出信号１１５により、外部装置２００からの電力供給の有無を検出できる。例えば、外部供給電力がＵＳＢを介して受け取られると、ＵＳＢの電力線（ＶＢＵＳ）へ電圧が印加されたことをシステム制御部１０５が検出できる。さらに、システム制御部１０５は、必要に応じて、サスペンド制御信号１１６を充電／給電部１０２に対して出力することにより、外部装置２００からの電力供給を制限する。実施形態１では、サスペンド制御信号１１６が論理Ｈｉｇｈの場合に、電力管理部１１０が外部装置２００からの電力供給を制限する。サスペンド制御信号１１６が論理Ｌｏｗの場合、電力管理部１１０は、電源制御部１０４への給電及び／または電池１０３への充電を可能とするべく外部装置２００からの電力供給を行う。例えば、外部装置２００からＵＳＢを介しての給電を想定した場合、電力管理部１１０は、サスペンド制御信号１１６が論理Ｈｉｇｈの場合には２．５ｍＡ以下の出力となるよう電力供給を制限する。以下、この状態を禁止状態と呼ぶ。なお、サスペンド制御信号１１６が論理Ｈｉｇｈの場合の禁止状態として、電力供給が完全に遮断されるようにしてもよい。さらに、電力管理部１１０は、サスペンド制御信号１１６が論理Ｌｏｗの場合には、たとえばＵＳＢ２．０の場合、５００ｍＡを上限とした電力供給を開始する。以下、この状態を給電状態と呼ぶ。
【００２１】
電池１０３は、リチウムイオン電池等の充電可能な電池であり、電子機器１００から取り外し可能であるとする。電池１０３は、電子機器１００へ電力を供給するための充電可能な電池セル１１３、電子機器１００と認証通信を行う電池認証部１１４と、電池１０３の温度を外部から検出する温度検出素子１１７を有する。温度検出素子１１７は、例えば、サーミスタである。取り外し検出部１１８は、電子機器１００に電池１０３が接続されているか否かを検出する。システム制御部１０５や、充電／給電部１０２は、取り外し検出部１１８からの検出信号１１９により、電池１０３が接続状態にあるか否かを検出する。取り外し検出部１１８は、例えば、電池１０３の接続で押下される物理的なスイッチである。なお、取り外し検出部１１８は、電池１０３が接続されているか否かを検出できればよい。取り外し検出部１１８は、電池１０３の出力端子部から得られる電圧の検出や、温度検出素子１１７の接続の有無（温度検出素子１１７の端子部から得られる電圧）など、物理的なスイッチ以外の構成によって実現されてもよいし、複数の構成を組み合わせてもよい。
【００２２】
電源制御部１０４は、システム制御部１０５や負荷部１０６が必要とする電力を供給可能な電源部であり、システム制御部１０５や指示入力部１０７からの操作に基づいて、負荷部１０６やシステム制御部１０５へ電力供給を行う。例えば、電源制御部１０４は、ＤＣ／ＤＣコンバータや、リニアレギュレータなどで構成されていて、充電／給電部１０２から供給される電力を、システム制御部１０５や負荷部１０６が必要とする電圧へ変換して供給する。
【００２３】
負荷部１０６は、電子機器１００の電源制御部１０４からの電力供給を受け、システム制御部１０５の指示に基づいて動作する、電子機器１００の複数機能を担うブロックである。例えば、電子機器１００が無線通信機能を有する場合には、無線通信機能を実現するための回路が負荷部１０６に対応し、静止画像や動画像が撮影可能なカメラ機能を有する場合には、カメラモジュールや、レンズ駆動部が負荷部１０６に対応する。
【００２４】
指示入力部１０７は、ユーザからの指示を受け付け、指示信号をシステム制御部１０５に供給する。指示入力部１０７は、電子機器の電源オンまたは電源オフを行う電源スイッチ等のスイッチ部材を含む。通知部１０８は、電子機器１００の状態などをユーザへ通知するための構成である。通知部１０８は、例えば、視覚的に通知を行うための発光素子や、表示装置、聴覚的に通知を行うためのスピーカ装置等によって構成される。
【００２５】
認証制御部１０９は、電池１０３内の電池認証部１１４と認証通信を行うことで、電池１０３の認証処理を行う。システム制御部１０５からの指示に基づいて、認証制御部１０９から電池認証部１１４へ認証通信を行い、認証通信完了後にシステム制御部１０５へ認証通信の結果（認証結果）を通知する。システム制御部１０５は、認証結果に基づいて、制御を切り替える。システム制御部１０５は、電池１０３が認証可能な正規の電池であれば、サスペンド制御信号１１６の論理Ｌｏｗを電力制御部１１１へ出力し、電池１０３への充電を許可する。他方、電池１０３が認証可能ではない非正規の電池であれば、システム制御部１０５は、サスペンド制御信号１１６の論理ｈｉｇｈを電力制御部１１１へ出力し、外部装置２００からの電力供給及び電池１０３への充電を停止するように制限する。
【００２６】
電子機器１００において、電池１０３が非正規の電池であって外部装置２００からの電力供給及び電池１０３への充電が制限された状態において、電池１０３が取り外されると、外部装置２００からの電力供給が再開される。例えば、システム制御部１０５は、取り外し検出部１１８からの取り外しの検出信号１１９により電池１０３の取り外しを検出し、充電／給電部１０２ヘのサスペンド制御信号を論理Ｌｏｗとすることで、外部装置２００からの電力供給の制限状態を解除する。これにより、電池１０３の取り外しに応じて外部装置２００から電子機器１００への電力供給が再開され、電池１０３からの電力供給が消失しても、外部装置２００からの電力により電子機器１００は継続して動作することが可能となる。この後に、電子機器１００へ電池１０３が接続された場合には、システム制御部１０５からの指示に基づいて、認証制御部１０９から電池認証部１１４へ認証通信を行って、その認証結果に応じて上記と同様の制御を行う。
【００２７】
図３は、実施形態１における第１の給電制御処理の一例を説明するためのフローチャートである。本フローチャート開始時には、電子機器１００は外部装置２００と接続されておらず、電源オフ状態であるとする。
【００２８】
Ｓ２０１において、ユーザの指示入力部１０７からの電源オン操作を受け付けると、システム制御部１０５はＳ２０２に進む。Ｓ２０２では、電源オン操作に応じて、電池１０３からの供給電力により電子機器１００の各構成要素が動作を開始する。実施形態１では、スイッチ素子１１２が電池１０３からの供給電力を電源制御部１０４へ供給するように動作し、電源制御部１０４は供給された電池１０３からの電力をシステム制御部１０５や負荷部１０６に供給する。
【００２９】
Ｓ２０３において、システム制御部１０５の指示に基づいて、認証制御部１０９は、電池１０３の電池認証部１１４と認証通信（認証処理）を行う。こうして、電子機器１００のへの電源投入時においては、認証制御部１０９は、接続された電池１０３から供給される電力を用いて電池１０３の認証を実行する。認証通信が完了したら、システム制御部１０５は、その認証結果を一時的に記憶しておく。認証結果は例えばＲＡＭ１５３に記憶される。Ｓ２０４において、システム制御部１０５は、電池１０３との認証通信による認証に成功したか否かを判定する。認証処理による認証に失敗した場合、Ｓ２０５において、システム制御部１０５は、通知部１０８を介してユーザへ認証失敗の通知を行う。なお、通知部１０８は、ユーザへ認証失敗したことを通知できればよく、例えば、ＬＥＤ（ＬｉｇｈｔＥｍｉｔｔｉｎｇＤｉｏｄｅ）を消灯から点灯に切り替えて、認証に失敗したことを通知すればよい。他方、Ｓ２０３における認証が成功した場合には、システム制御部１０５はＳ２０４からＳ２０６に進む。
【００３０】
Ｓ２０６では、システム制御部１０５が外部供給電力の検出信号１１５を監視することで、電子機器１００に接続された外部装置２００からの電力を受け取っているかを検出する。例えば、システム制御部１０５は、１秒周期など、電子機器１００の他の動作に影響しない周期で定期的に外部供給電力の検出信号１１５を監視する。あるいは、外部供給電力の検出信号１１５をＣＰＵ１５１の割り込み信号として取り扱うことでシステム制御部１０５が外部装置２００の接続を検出するようにしてもよい。システム制御部１０５は、外部装置２００の接続を検出すると、Ｓ２０７において、外部装置２００から供給される電力を電子機器１００の動作に利用するよう充電／給電部１０２を制御する。例えば、システム制御部１０５が、充電／給電部１０２の電力制御部１１１に指示して、給電状態とし、外部装置２００から電源制御部１０４への電力供給を開始させる。この際、スイッチ素子１１２はオフ状態とし、充電のための電力が電池１０３へ供給されないようにする。なお、電子機器１００が外部装置２００へ接続された際には、外部装置２００からの電力のみを電子機器１００の動作に用いるようにしてもよいし、外部装置２００からの供給電力と電池１０３からの供給電力とを併用するようにしてもよい。
【００３１】
Ｓ２０８において、システム制御部１０５は、Ｓ２０３においてＲＡＭ１５３に記憶された認証結果を参照し、接続されている電池１０３の認証結果が成功であるか失敗であるかを判定する。Ｓ２０８において認証結果が失敗であると判定された場合、システム制御部１０５は、Ｓ２０９において、サスペンド制御信号１１６を論理Ｈｉｇｈにセットする。これにより、電力管理部１１０から電源制御部１０４への電力の供給が禁止状態となる。Ｓ２１０において、システム制御部１０５は、通知部１０８を介して外部装置からの給電および充電が禁止状態であることを通知する。さらに、この際に、システム制御部１０５は、電子機器１００が電池１０３からの供給電力で動作するように、充電／給電部１０２に指示する。この指示に応じて、充電／給電部１０２では、スイッチ素子１１２をオン状態として、電池１０３から電源制御部１０４へ給電が行われるようにする。電池１０３から供給可能な電力は、電池１０３の残容量に依存するため、例えば、残容量が少ないような場合には、一定時間の通知後に、電子機器１００を電源オフ状態にするようにシステム制御部１０５が電源オフ制御を行うようにしてもよい。
【００３２】
Ｓ２０８で認証結果が成功であった場合、Ｓ２１１において、システム制御部１０５は、接続された外部装置２００の電力供給能力を検出し、電子機器１００の動作、あるいは、電池１０３の充電に十分な電力が得られるか判定する。十分な電力が外部装置２００から得られるかを判定するために、例えば、ＵＳＢ給電の場合には、電子機器１００に接続された外部装置２００がＰＣであれば、ＵＳＢ規格に従ってエニュメレーションを実施する。これにより、システム制御部１０５は、必要とする電力、例えば、５Ｖ、５００ｍＡの供給が外部装置２００から得られるか否かを確認する。
【００３３】
電子機器１００に接続された外部装置２００が所定値以上の供給能力を有すると判定された場合、電子機器１００は、外部装置２００から必要な電力を得ることができる。したがって、システム制御部１０５は、Ｓ２１４において、電池１０３の充電を許可して充電を開始する。たとえば、電力管理部１１０から電池セル１１３の端子電圧より高い電圧を出力させ、スイッチ素子１１２をオン状態とする。こうして、電子機器１００は、外部装置２００から得た電力を機器の動作のための電力として利用しつつ、電池１０３の充電にも利用する。他方、外部装置２００が所定値以上の供給能力を有していないと判定された場合、電子機器１００は外部装置２００から必要な電力を得ることができない。したがって、システム制御部１０５は、Ｓ２１３において、外部装置２００からの電力の供給を禁止する（充電／給電部１０２を禁止状態とする）。この際、スイッチ素子１１２をオン状態とすることで、電子機器１００は、電池１０３からの供給電力で動作する状態となる。
【００３４】
Ｓ２１５とＳ２１６により、システム制御部１０５は、電池１０３の充電完了条件を満たすまで、或いは、ユーザからの充電停止に関わる操作が検出されるまで、充電を継続する。なお、充電停止に関わる操作としては、指示入力部１０７からのユーザによる充電停止の指示や、電子機器１００からの電池１０３の取り外しなどがあげられる。システム制御部１０５が充電完了条件を満たしたと判定した場合、あるいは、充電停止に関わる操作を検出した場合、Ｓ２１７において、システム制御部１０５は、電池１０３への充電を停止する。たとえば、システム制御部１０５は、充電／給電部１０２に指示して、スイッチ素子１１２をオフ状態とし、外部装置２００からの電力の電池１０３への供給を停止する。
【００３５】
なお、Ｓ２１７での処理の後に、電子機器１００は外部装置２００からの供給電力で動作を続けてもよく、動作の必要がなければ、電源オフ状態にしてもよい。
【００３６】
Ｓ２０９の処理の後に、電子機器１００から電池１０３が取り外された場合、システム制御部１０５は、外部装置２００からの供給電力で電子機器１００が可能なように充電／給電部１０２を禁止状態から給電状態へ移行させるようにしてもよい。
【００３７】
図４は、Ｓ２０９において外部装置２００からの電力の供給が禁止された後（充電／給電部１０２が禁止状態になった後）、電池１０３の取り外しによって起動される第２の給電制御処理の一例を説明するためのフローチャートである。
【００３８】
取り外し検出部１１８からの検出信号１１９によりシステム制御部１０５が電池１０３の取り外しを検出すると、システム制御部１０５はＳ３０１からＳ３０２に進み、システム制御部１０５は電池１０３が取り外された場合に行われる処理を開始する。なお、上述のように、電池１０３の取り外しの検出は、取り外し検出部１１８を用いた構成に限られるものではなく、電池１０３の出力電圧の検出や温度検出素子１１７からの出力電圧の検出に基づいて電池１０３の取り外しが検出されてもよい。Ｓ３０２において、システム制御部１０５は、外部装置２００からの電力の供給を許可する（充電／給電部１０２を、禁止状態から給電状態にする）。続いて、Ｓ３０３において、システム制御部１０５は、取り外し検出部１１８からの検出信号１１９により、電池１０３が接続されたか否かを判定する。電池１０３が接続されたと判定されると、システム制御部１０５はＳ３０３からＳ３０４に進む。
【００３９】
Ｓ３０４において、認証制御部１０９は、システム制御部１０５の指示に基づいて電池１０３の電池認証部１１４と認証通信（認証処理）を行う。認証通信が完了したら、システム制御部１０５は、その認証結果を一時的に記憶しておく。認証結果は例えばＲＡＭ１５３に記憶される。認証処理による認証に失敗した場合、システム制御部１０５はＳ３０５からＳ３０６に進み、システム制御部１０５は、通知部１０８を介してユーザへ認証失敗の通知を行う。そして、Ｓ３０７において、システム制御部１０５は、外部装置２００からの電力の供給を禁止する。Ｓ３０７の処理はＳ２０９と同様である。他方、Ｓ３０５で認証成功と判定された場合は、第２の給電制御処理を終了し、Ｓ３０２で開始した外部装置２００による電力の供給を維持する。こうして、電池１０３の非接続状態が検出された後に電池１０３の接続が検出された場合には、認証制御部１０９による当該電池１０３の認証の結果が判明するまでの間は、第１の電力経路１２１への制限は解除された状態となる。
【００４０】
以上説明したように、実施形態１によれば、外部装置２００からの供給電力と電池１０３からの供給電力とを併用して電子機器１００を動作する場合であって、電子機器１００に接続された電池１０３が充電に適さない場合に、異常な充電が行われてしまう可能性を低減することができる。これにより、外部装置２００からの供給電力を電池１０３への充電に用いる電子機器１００の安全性を考慮しつつ、電池１０３の充電を行うことができる。
【００４１】
［実施形態２］
実施形態１で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態２では、パーソナルコンピュータ、マイクロコンピュータ、ＣＰＵなどを「コンピュータＸ」と呼ぶ。さらに、実施形態２では、コンピュータＸを制御するためのプログラムであって、実施形態１で説明した様々な機能、処理及び方法を実現するためのプログラムを「プログラムＹ」と呼ぶ。
【００４２】
実施形態１で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態２におけるコンピュータ読み取り可能な記憶媒体は、ｎｏｎ−ｔｒａｎｓｉｔｏｒｙな記憶媒体である。
【符号の説明】
【００４３】
１００：電子機器、１０１：接続部、１０２：充電／給電部、１０３：電池、１０４：電源制御部、１０５：システム制御部、１０６：負荷部、１０７：指示入力部、１０８：通知部、１０９：認証制御部、１１０：電力管理部、１１１：電力制御部、１１２：スイッチ素子、１１３：電池セル、１１４：認証通信部、１１７：温度検出素子、１１８：取り外し検出部、２００：外部装置
【図１】
2017073955.tif 000003
【図２】
2017073955.tif 000004
【図３】
2017073955.tif 000005
【図４】
2017073955.tif 000006